(57)【要約】      （修正有）【課題】横臥姿勢で読書したり本載置板を任意の位置に安定的に回転移動する。【解決手段】表面にペ−ジ押さえ具２、３、４、５と本受け板６、９とクリップ８を設け、裏面には引掛具１０、１１を取り付けてなる本載置板１と、内側に螺溝を有する管軸状取付部１３を中心とし、該管軸状取付部１３の周面に放射状に延びる支脚１４を設け、この支脚１４の下部外側面には水平方向に平視真円状の案内環１５を固定的に取り付け、上部に水平棒１９を取り付け下部に螺旋溝１８を刻設した取付棒１６を、前記管軸状取付部１３の螺溝と螺合して取着されてなる本載置板保持台１２とより構成され、前記本載置板１が、前記引掛具１０、１１により前記水平棒１９に引掛けて吊設され、本載置板１の裏面は前記案内環１５に接触する。【選択図】図１
0003112959.tif 000002
【実用新案登録請求の範囲】
【請求項１】
表面にペ−ジ押さえ具と本受け板とクリップを設け、裏面には引掛具を取り付けてなる本載置板と、
内側に螺溝を有する管軸状取付部を中心とし、該管軸状取付部の周面に放射状に延びる支脚を設け、この支脚の下部外側面には水平方向に平視真円状の案内環を固定的に取り付け、上部に水平棒を取り付け下部に螺旋溝を刻設した取付棒を、前記管軸状取付部の螺溝と螺合して取着されてなる本載置板保持台とより構成され、
前記本載置板が、前記引掛具により前記水平棒に引掛けて吊設され、本載置板の裏面は前記案内環に接触していることを特徴とする横臥式書見台。
【考案の詳細な説明】
【技術分野】
【０００１】  本考案は横臥式書見台に関し、更に詳しくは、横臥姿勢で読書中、時間の経過により日光の照射角度が変化しても、照射角度に読書紙面を対応することで、読者の横臥姿勢を変えたり場所を移動することがなく読書を続行することができる横臥式書見台に関する。
【背景技術】
【０００２】  従来、回転する書見台は、垂直に立てた支柱に、回転可能、上下スライド可能かつ固定可能にした水平ア−ムを複数本設置し、書見台背面に固定した水平軸取付部を、回転可能、左右スライド可能かつ固定可能に水平ア−ムを取り付けた増設式書見器が存在する（例えば、特許文献１参照）。
しかしながら、上記従来例の増設式書見器であると、垂直に立設した１本の支柱に、上下方向に書見台を複数取り付ける構成であるので、机の上で、何冊もの本を同時に広げて作業する書見器としては適しているが、横臥姿勢で一冊の本を読む書見台としては場所を不当にとるうえ均衡が保持できず傾倒の虞を有し、不適切である。
【特許文献１】特開２０００−３４２３４９号公報
【考案の開示】
【考案が解決しようとする課題】
【０００３】  本願考案は、回転可能で上下動可能な取付棒に水平棒を取り付け、この水平棒に本載置板を吊設し、本載置板の裏面は常に案内環に接触させることにより、横臥姿勢で読書したり本載置板を任意の位置に安定的に回転移動するものである。
【課題を解決するための手段】
【０００４】  本願考案は、表面にペ−ジ押さえ具と本受け板とクリップを設け、裏面には引掛具を取り付けてなる本載置板と、内側に螺溝を有する管軸状取付部を中心とし、該管軸状取付部の周面に放射状に延びる支脚を設け、この支脚の下部外側面には水平方向に平視真円状の案内環を固定的に取り付け、上部に水平棒を取り付け下部に螺旋溝を刻設した取付棒を、前記管軸状取付部の螺溝と螺合して取着されてなる本載置板保持台とより構成され、前記本載置板が、前記引掛具により前記水平棒に引掛けて吊設され、本載置板の裏面は前記案内環に接触していることを特徴とする。
【考案の効果】
【０００５】  本願考案は、本載置板を回転移動することができるので、横臥姿勢を変えたり場所を移動することなく日光の照射角度に読書紙面を対応させ、常に読者の好みの照度により手で本を支えることなく読書をすることができる。
取付棒により、本載置板の高さを調節できるので、床、ベッド或いはソファ等、読書場所を選択せず横臥姿勢で読書を楽しむことができる。
管軸状取付部の周面に放射状に延びる支脚を設け、この支脚に平視真円状の案内環を取り付けたので、たとえ本載置板を正視縦長に方向転換をして本載置板保持台に吊設し大判で重量を有する書籍を載置しても書見台が傾倒したりすることはなく、本載置板は、弱い力により任意の位置にスム−ズに安定的に回転移動することができる。
【考案を解決するための最良の形態】
【実施例１】
【０００６】  図１は横臥式書見台の正面図、図２は図１の右側面図、図３は図１の平面図、図４は使用状態を示す正面図、図５は使用状態を示す正面図である。【０００７】  本載置板１は木、硬質性合成樹脂、金属等を材料とする平板よりなる。本載置板１の表面の左右上下端には、フレキシブル棒よりなるペ−ジ押さえ具２、３、４、５が配設され、左下端には、本受け板６が横方向に取り付けられている。本受け板６の上端面は本７の下端面を支持可能に平坦に形成されている。本載置板１の右下端には、クリップ８の挟持部が上向きになるように、クリップ８が本載置板１と一体的に取り付けられている。本載置板１の左端には、縦方向に本受け板９が取り付けられている。本載置板１の裏面の上端には左右方向に所定距離離隔して鉤形形状の引掛部１０が取り付けられ、右端には上下方向に所定距離離隔して鉤形形状の引掛部１１が取り付けられている。
本載置板保持台１２は、内側に螺溝を有する管軸状取付部１３を中心とし、この管軸状取付部１３の周面に、放射状に延びる支脚１４を複数立設して略円錐形状をなし、この支脚１４の下部外側面には水平方向に平視真円状の案内環１５を固定的に取り付ける。１６は取付棒であって、上部には貫通孔１７を上下方向に複数形成し、下部には螺旋溝１８を刻設する。この螺旋溝１８と管軸状取付部１３の螺溝とを螺合して取付棒１６を管軸状取付部１３に垂直に取着する。貫通孔１７には水平棒１９を貫通して取り付ける。【０００８】  次に作用について説明する。
本載置板１は、左右方向に所定距離離隔して取り付けられた引掛部１１により水平棒１９に吊設され、本載置板１の裏面下方は、案内環１５の周面に常に接触させているので、これらの接触により、本載置板１は読書中も揺動する虞はなく、横臥姿勢の状態で弱い力を加えることにより本載置板１は案内環１５の周面に沿ってスム−ズ安定的に回転移動する。【０００９】  大判の本２２を読書する場合は、図５に示されるように、本載置板１が正視縦長な長方形になるように方向転換し、裏面の引掛具１１を水平棒１９に引掛ける。又、水平棒１９にストッパ−２５を取り付けることも可能である。
【実施例２】
【００１０】  図６で示される実施例２を説明する。実施例１と異なる点は光源を必要とする場合である。取付棒１６の前後方向に形成した貫通孔１７に照明器具取付棒２０を貫通させて取り付け、この照明器具取付棒２０の先端に照明器具２１を取り付けて本７の方向へ光源を照射する。
【産業上の利用可能性】
【００１１】  図７で示されるように、本載置板１と水平棒１９を本載置板保持台１２から取り外し後、取付棒１６を上方へ回転させ、貫通孔１７に長棒２２を貫通させて取り付ける。この長棒２２の長手方向上に拡開した新聞２３の横方向中央位置の折り目を沿わせて跨がらせクリップ２４でとめて、横臥姿勢若しくは正座姿勢或いは椅子に腰掛けた姿勢で新聞を手で持つことなく閲覧することができる。
【図面の簡単な説明】
【００１２】
【図１】横臥式書見台の正面図である。（実施例１）
【図２】横臥式書見台の右側面図である。（実施例１）
【図３】横臥式書見台の平面図である。（実施例１）
【図４】横臥式書見台の使用状態を正面図である。（実施例１）
【図５】横臥式書見台の使用状態を正面図である。（実施例１）
【図６】横臥式書見台に照明器具を取り付けた状態を示す右側面図である。（実施例２）
【図７】横臥式書見台を利用して新聞を閲覧する使用状態を示す斜視図である。
【符号の説明】
【００１３】１  本載置板
２、３、４、５  ペ−ジ押さえ具
６、９  本受け板
８  クリップ
１０、１１  引掛具
１２  本載置板保持台
１３  管軸状取付部
１４  支脚
１５  案内環
１６  取付棒
１８  螺旋溝
１９  水平棒
【図１】
0003112959.tif 000003
【図２】
0003112959.tif 000004
【図３】
0003112959.tif 000005
【図４】
0003112959.tif 000006
【図５】
0003112959.tif 000007
【図６】
0003112959.tif 000008
【図７】
0003112959.tif 000009